(57)【要約】      （修正有）【課題】クラブヘッドがボールをとらえる瞬間のクラブとボールの形態を目視で分析解明を行うことが可能なゴルフ練習用ボールの提供。【解決手段】模擬ゴルフ練習ボール１は、伸縮性のある細糸をソフトに縒り合わせた紐で、ゴルフボールと略同径のボール状にし、表皮に半環形状の細糸を露出させる。打撃した瞬間に表皮の半環形状の細糸がクラブフェイス面に設けた釣針形状フック付きテープ５の釣針形状フックに引っかかり、完全密着し、ボールに設けた環状ラインマークなどのみだれ具合からミスショットの原因解明を行うことを可能にする。【選択図】図５
2016112370.tif 000002
【特許請求の範囲】
【請求項１】
伸縮性と弾力性を有する細糸をソフトに縒り合わせた紐を、ゴルフボールと略同径のボール状に編み、その内部に、瞬間収縮、低反発クッション材などを詰めることにおいて球形状を保ち、その表皮全面に露出させた半環形状の細糸を、クラブヘッドに設けた釣針形状フックに引っかけることにおいて、その密着した姿をそのまま長時間保持することを特徴とする模擬ゴルフ練習ボール。
【発明の詳細な説明】
【技術分野】
【０００１】  本発明はゴルフプレーにおいて起こるミスショット、その結果として現れるフックやスライスなど、その原因となるクラブフェイスがボールをショットする瞬間の状態の形をそのままの姿で長時間保持し、プレーヤーがそのボールとクラブフェイスの関係を目視できることで、自分のショットの欠点を分析解明することを可能とする模擬ゴルフ練習ボールに関するものである。
【背景技術】
【０００２】  従来、クラブヘッドがボールをショットする瞬間の微妙な状態を目視で分析解明をすることは、超高速度カメラで撮影し、スローモーション映像を通してボールのヒット位置、飛び出し角度、および回転の方向などを確認をしていた。
また、ゴルフスイング打球位置確認練習用具が先行技術としてある（特許文献参照）。
【先行技術文献】
【０００３】
【特許文献１】  実用新案登録３００３２１６号公報
【発明の概要】
【発明が解決しようとする課題】
【０００４】（イ）ゴルフというスポーツは、１８ホールをいかに少ない打数で回るかを競うものであ      る。
したがって、打数を大幅に増やしてしまうミスショットはプレーヤーにとって大き      なマイナス要因となる。
（ロ）ミスショットの原因は様々であるが、根本的にはプレーヤーのショットフォームの      欠陥によるもので、その欠陥がクラブヘッドに連動し、クラブフェイス面が正しく      ボールをとらえることができないことにより、ボールに意図しないフックやスライ      スになる回転を与えてしまうものである。
（ハ）また、クラブシャフトの入射角のくるいや、フェイス面がターゲット方向から外れ      てしまうことなどにより意図しない方向にボールが飛んでしまうものである。
（ニ）プレーヤーにそのクラブヘッドがボールをとらえる瞬間のメカニズムを目視できた      なら原因分析解明も可能となり、ミスショットを減らすためのスイングのショット      フォーム矯正改造の近道となるが、秒速約４０〜５０メートルほどもある高速ヘッ      ドスピードではボールをとらえる瞬間の目視は極めて不可能であった。
本発明は、以上の問題点を解決するためになされたものである。
【課題を解決するための手段】
【０００５】（イ）動物繊維、および植物繊維、および科学繊維などの伸縮性と弾力性を有する細糸を      ソフトに縒り合わせた紐を、ゴルフボールと略同径の紐ボールに編み、表皮全体に      半環形状の細糸を露出させる。
（ロ）また、内部空間には、秒速約４０〜５０メートルものヘッドスピードでの多回数シ      ョットにも耐える瞬間収縮、低反発な復元力のあるクッション材で満たした模擬ゴ      ルフ練習ボールを設ける。
（ハ）その外周中央部に目印とする環状ラインマークを異色繊維または塗料などで設け、      さらに、その環状ラインマークで分離された左右の半球形状の中央部にそれぞれ目      印とするヒッティングスポットマークを設ける。
（ニ）一方、その模擬ゴルフ練習ボールをクラブヘッドに密着させるため、表面に無数の      釣針形状のフックを設けた粘着テープを、クラブフェイス面の形状に合わせ裁断し      、その中央部に同じく目印とするヒッティングスポットマークを設け着脱可能にク      ラブフェイス面に貼り付ける。
以上の構成によりなる模擬ゴルフ練習ボール。
【発明の効果】
【０００６】（イ）従来、不可能とされていたミスショットの目視による原因分析と解明を、本発明の      模擬ゴルフ練習ボールによって可能とした。
（ロ）クラブヘッドに密着した模擬ゴルフ練習ボールの環状ラインマークは、クラブヘッ      ドがボールをとらえた角度のくるいの度合いを、また、ヒッティングスポットマー      クはクラブヘッドのセンターからボールがどれだけずれ離れたのか、目に見える情      報をゴルファーに送り、ショットの欠点を自覚させるので、課題を持って練習がで      きる。
（ハ）模擬ゴルフ練習ボールは、内部のソフトなクッション材に加え、外皮の略半環形状      の細糸によって更にソフトになるため、極めて安全性が高まる。
さらに、模擬ゴルフ練習ボールは、クラブヘッドに当たれば約９９パーセントの確      率で密着するので、ネットなど必要なく、室内屋外などの小スペースで効果的な練      習ができる。
（ニ）模擬ゴルフ練習ボールは使用過程において、細糸が徐々に毛羽立つが、その毛羽立      った細糸をハサミなどで刈り取れば、その下に次の略半環形状の細糸が控えている      ので、幾たびも接着力の復元が可能となり、長い回数使用できるので、費用対練習      効果は高い。
【図面の簡単な説明】
【０００７】
【図１】  本発明の模擬ゴルフ練習ボールの側面図
【図２】  図１にヒッティングスポットマークを設けた側面図
【図３】  図１に環状ラインマークを設けた側面図
【図４】  図１の中央の断面図
【図５】  図１とクラブヘッドに設けた釣針形状フック付テープを示す斜視図
【図６】  図１がクラブヘッドに密着した状態を示す斜視図
【図７】  図１に対し、クラブヘッドがアウトサイドインで当たり、スライスボールとなる状態を示す上面図
【図８】  図１に対し、クラブヘッドがインサイドアウトで当たり、フックボールとなる状態を示す上面図
【図９】  図１の下部にクラブヘッドが当たり、フライボールとなった状態を示す上面図
【発明を実施するための形態】
【０００８】  以下、本発明の実施の形態を説明する。
（イ）動物繊維、および植物繊維、および化学繊維などの伸縮性と弾力性ある細糸をソフ      トに縒り合わせた紐を、ゴルフボールと略同径の紐ボール状に編み、表皮全面に半      環形状の細糸を露出させた模擬ゴルフ練習ボール（１）を設ける。
（ロ）模擬ゴルフ練習ボール（１）の内部空間を、軽量でソフトな瞬間収縮低反発クッシ      ョン材（４）で満たす。
（ハ）模擬ゴルフ練習ボール（１）の表皮外周の略中央部に、異色繊維、または塗料など      で目印とする環状ラインマーク（３）を設ける。
（ニ）さらに、環状ラインマーク（３）で分離された左右双方の半球形状の表皮略中央部      に同じく目印とするヒッティングスポットマーク（２ａ）と（２ｂ）を設ける。
（ホ）模擬ゴルフ練習ボール（１）を、クラブフェイス面に密着させる釣針形状フック付      きテープの略中心部に同じく目印とするクラブ側ヒッティングスポットマーク（６      ）を設ける。
本発明は、以上のような構造である。
本発明を使用するときは、模擬ゴルフ練習ボール（１）のヒッティングスポットマーク（２ａ）をターゲット方向に向け、（２ｂ）をクラブヘッドの進入方向に向け、さらに環状ラインマーク（３）をクラブフェイス面に正対するようマット上、またはティー上にセットする。
一方、着脱可能にクラブフェイス面に貼り付けた釣針形状フック付きテープの中央部に設けたクラブヘッド側ヒッティングスポットマーク（６）を、予めセットした模擬ゴルフ練習ボールのヒッティングスポットマーク（２ｂ）と位置合わせをして、ゴルファーはそれに合わせてアドレスをとり、静止している模擬ゴルフ練習ボール（１）のヒッティングスポットマーク（２ｂ）を目掛け、本物のゴルフボールと同様にショットする。
模擬ゴルフ練習ボール（１）の表皮に露出した半環形状の細糸が、クラブフェイス面の釣針形状フックにしっかりと引掛かって、完全密着し、クラブフェイス面が模擬ゴルフ練習ボール（１）をショットしたその瞬間の状態形を、そのままの姿で長時間保持し、ゴルファーは、その模擬ゴルフ練習ボール（１）に設けたヒッティングスポットマーク（２ｂ）と、釣針形状フック付きテープに設けたクラブヘッド側ヒッティングスポットマーク（６）の双方が、一体化しているか、また何方に何程ずれ離れているか、さらに、環状ラインマーク（３）と、クラブフェイス面との正対性に、どれ程のずれ幅が生じたか、目視、または計測することで、球質はもとより、プレーヤーが振り下ろしたクラブシャフトの軌道、およびクラブフェイス面の入射角度、およびクラブフェイス面の向きなども確認できる。
ゴルファーは、自分のショットスイングの欠点などが想定できるため、模擬ゴルフ練習ボール（１）を繰り返し打つたびに得られる環状ラインマーク（３）と、ヒッティングスポットマーク（２ｂ）、およびクラブヘッド側ヒッティングスポットマーク（６）などの情報を、ショットフォームの矯正改造に活かし、短期間にミスショットを減らし、スコアアップすることが可能となる。
【符号の説明】
【０００９】  １  模擬ゴルフ練習ボール
２ａ  ヒッティングスポットマーク
２ｂ  ヒッティングスポットマーク
３  環状ラインマーク
４  瞬間収縮低反発クッション材
５  釣針形状フック付きテープ
６  クラブヘッド側ヒッティングスポットマーク
【図１】
2016112370.tif 000003
【図２】
2016112370.tif 000004
【図３】
2016112370.tif 000005
【図４】
2016112370.tif 000006
【図５】
2016112370.tif 000007
【図６】
2016112370.tif 000008
【図７】
2016112370.tif 000009
【図８】
2016112370.tif 000010
【図９】
2016112370.tif 000011